(57)【特許請求の範囲】
【請求項１】
成分（Ａ）：ラウリルアルコール、
成分（Ｂ）：ポリオキシエチレントリスチリルフェニルエーテルの少なくとも一種、並びに、
成分（Ｃ）：アルキルベンゼン類およびナフタレン類からなる群より選択される少なくとも一種の芳香族炭化水素系非極性溶剤を含有し、かつ、
アニオン系界面活性剤およびカチオン系界面活性剤のいずれをも含まないことを特徴とする乳剤組成物。
【請求項２】
さらに、成分（Ｄ）：極性溶剤を含有することを特徴とする請求項１に記載の乳剤組成物。
【請求項３】
成分（Ｄ）が、ケトン類またはラクトン類であることを特徴とする請求項２に記載の乳剤組成物。
【請求項４】
成分（Ａ）の含有量が１〜２０重量％、成分（Ｂ）の含有量が５〜２５重量％、成分（Ｃ）の含有量が１０〜４５重量％、成分（Ｄ）の含有量が０〜７５重量％であることを特徴とする請求項２に記載の乳剤組成物。
【請求項５】
請求項１〜４のいずれか一項に記載の乳剤組成物および農薬活性成分の少なくとも一種を含有することを特徴とする農薬乳剤組成物。
【請求項６】
成分（Ａ）の含有量が０．５〜１０重量％、成分（Ｂ）の含有量が０．５〜１５重量％、成分（Ｃ）の含有量が５〜８０重量％、成分（Ｄ）の含有量が０〜６０重量％、農薬活性成分の含有量が１〜８０重量％であることを特徴とする請求項５に記載の農薬乳剤組成物。
【発明の詳細な説明】
【技術分野】
【０００１】
本発明は、混用する農薬活性成分のイオン性に影響されない、良好な乳化性を示す農薬乳剤組成物を調製することができる乳剤組成物、及び該乳剤組成物及び農薬活性成分を含有する農薬乳剤組成物に関する。
本願は、２００７年１１月１４日に、日本に出願された特願２００７−２９５６８８号に基づき優先権を主張し、その内容をここに援用する。 
【背景技術】
【０００２】
従来、殺菌、殺虫、殺ダニ、除草等の活性を有する農薬活性成分は、各種の使用し易い形態に製剤化されて用いられる。農薬活性成分が親油性である場合には、農薬活性成分に乳剤組成物を混合して乳剤（農薬乳剤組成物）とし、これを水で希釈して用いられる場合が多い。
【０００３】
乳剤組成物は、通常、農薬活性成分を溶解しうる有機溶剤と、乳化剤である界面活性剤を含有する。界面活性剤としては、乳化性に優れるアニオン系界面活性剤を用いるのが一般的である。しかしながら、得られる農薬乳剤組成物に、カチオン性の農薬活性成分を混用して希釈すると、アニオン系界面活性剤とカチオン性の農薬活性成分が塩を形成して、凝集が生じる場合があった。
【０００４】
一方、アニオン系界面活性剤以外で良好な乳化性を有する界面活性剤としては、ノニオン系界面活性剤であるポリオキシアルキレンアリールフェニルエーテルが知られている（特許文献１〜７等）。しかし、これを用いる場合でも、十分な乳化性を得るためには使用量を多めに設定する必要があった。
近年においては、環境にやさしい農業化学品が求められるようになってきている。例えば、アメリカ環境保護局（ＥＰＡ）は、乳剤組成物中のポリオキシアルキレンアリールフェニルエーテルの含有量を制限している。
【先行技術文献】
【特許文献】
【０００５】
【特許文献１】特開平１０−７２３０５号公報
【特許文献２】特開２０００−２３９１０２号公報
【特許文献３】特表２０００−５１４７９３号公報
【特許文献４】特開２００３−１２８５０１号公報
【特許文献５】特開平６−３０５９１５号公報
【特許文献６】特開平９−５２８１０号公報
【特許文献７】特開２００１−２７０８０１号公報
【発明の概要】
【発明が解決しようとする課題】
【０００６】
本発明は、上記した従来技術の実情に鑑みてなされたものであり、環境にやさしく、混用する農薬活性成分のイオン性に影響されない、良好な乳化性を示す農薬乳剤組成物を調製することができる乳剤組成物、及び該乳剤組成物及び農薬活性成分を含有する農薬乳剤組成物を提供することを課題とする。
【課題を解決するための手段】
【０００７】
本発明者らは上記課題を解決すべく、界面活性剤としてノニオン系界面活性剤であるポリオキシアルキレンアリールフェニルエーテルを用いる農薬乳剤組成物について鋭意研究を行った。その結果、成分（Ａ）：ラウリルアルコール、成分（Ｂ）：ポリオキシエチレントリスチリルフェニルエーテルの少なくとも一種、及び成分（Ｃ）：アルキルベンゼン類およびナフタレン類からなる群より選択される少なくとも一種の芳香族炭化水素系非極性溶剤を含有する乳剤組成物、並びに農薬活性成分を含有する農薬乳剤組成物は、環境にやさしく、かつ、混用する農薬活性成分のイオン性に影響されない良好な乳化性を発揮することを見出し、本発明を完成させるに至った。
【０００８】
かくして、本発明の第１によれば、下記（１）〜（４）の乳剤組成物が提供される。
（１）成分（Ａ）：ラウリルアルコール、成分（Ｂ）：ポリオキシエチレントリスチリルフェニルエーテルの少なくとも一種、並びに、成分（Ｃ）：アルキルベンゼン類およびナフタレン類からなる群より選択される少なくとも一種の芳香族炭化水素系非極性溶剤を含有し、かつ、アニオン系界面活性剤およびカチオン系界面活性剤のいずれをも含まないことを特徴とする乳剤組成物。
【０００９】
（２）さらに、成分（Ｄ）：極性溶剤を含有することを特徴とする（１）に記載の乳剤組成物。
（３）成分（Ｄ）が、ケトン類またはラクトン類であることを特徴とする（２）に記載の乳剤組成物。
【００１０】
（４）成分（Ａ）の含有量が１〜２０重量％、成分（Ｂ）の含有量が５〜２５重量％、成分（Ｃ）の含有量が１０〜４５重量％、成分（Ｄ）の含有量が０〜７５重量％であることを特徴とする（２）又は（３）に記載の乳剤組成物。
【００１１】
本発明の第２によれば、下記（５）、（６）の農薬乳剤組成物が提供される。
（５）前記（１）〜（４）のいずれかに記載の乳剤組成物および農薬活性成分の少なくとも一種を含有することを特徴とする農薬乳剤組成物。
（６）成分（Ａ）の含有量が０．５〜１０重量％、成分（Ｂ）の含有量が０．５〜１５重量％、成分（Ｃ）の含有量が５〜８０重量％、成分（Ｄ）の含有量が０〜６０重量％、農薬活性成分の含有量が１〜８０重量％であることを特徴とする（５）の農薬乳剤組成物。
【発明の効果】
【００１２】
本発明の乳剤組成物は、アニオン系界面活性剤、カチオン系界面活性剤のいずれをも含有しないため、混用する農薬活性成分等のイオン性に影響されない、良好な乳化性を示す農薬乳剤組成物を調製することができる。
本発明の乳剤組成物は、ポリオキシアルキレンアリールフェニルエーテルを多量に用いる必要がないため、環境にやさしいものである。
本発明の農薬乳剤組成物は、本発明の乳剤組成物を用いているため、長期に亘り良好な乳化性を示す。
本発明の農薬乳剤組成物は、イオン性（カチオン性）を有する農薬活性成分と混用する場合であっても、凝集が生じることなく良好な乳化性を示す。
【発明を実施するための形態】
【００１３】
以下、本発明を詳細に説明する。
１）乳剤組成物
本発明の乳剤組成物は、成分（Ａ）：炭素数６〜２０のアルカノール、炭素数６〜２０のアルケノール、ポリオキシエチレンアルキルエステル、ポリオキシエチレンアルキルジエステル、ポリオキシエチレンアルケニルエステル、ポリオキシエチレンジアルケニルエステル、ポリオキシエチレン・ポリオキシプロピレン・ブロックコポリマーおよびシリコン系界面活性剤からなる群より選択される少なくとも一種、成分（Ｂ）：ポリオキシアルキレンアリールフェニルエーテルの少なくとも一種、並びに、成分（Ｃ）：芳香族炭化水素系非極性溶剤を含有し、かつ、アニオン系界面活性剤、カチオン系界面活性剤のいずれをも含まないことを特徴とする。
【００１４】
成分（Ａ）：
本発明の乳剤組成物は、成分（Ａ）として、炭素数６〜２０のアルカノール、炭素数６〜２０のアルケノール、ポリオキシエチレンアルキルエステル（以下、ポリオキシエチレンを、「ＰＯＥ」と略記することがある。）、ＰＯＥアルキルジエステル、ＰＯＥアルケニルエステル、ＰＯＥジアルケニルエステル、ポリオキシエチレン・ポリオキシプロピレン・ブロックコポリマー（以下、ポリオキシプロピレンを、「ＰＯＰ」と略記することがある。）およびシリコン系界面活性剤からなる群より選択される少なくとも一種を含有する。成分（Ａ）を添加することにより、乳剤組成物を水に希釈した際における乳化性が向上し、水中で農薬活性成分の結晶が析出するのを防止することができる。
【００１５】
炭素数６〜２０のアルカノールとしては、ｎ−ヘキシルアルコール、ｎ−オクチルアルコール、２−エチルへキシルアルコール、ｎ−デシルアルコール、ラウリルアルコール、ミリスチルアルコール、セチルアルコール、ステアリルアルコール等が挙げられる。
【００１６】
炭素数６〜２０のアルケノールとしては、パルミトイルアルコール、オレイルアルコール、リノレリルアルコール等が挙げられる。
【００１７】
ＰＯＥアルキルエステルとしては、ＰＯＥモノラウレート、ＰＯＥモノステアレート等が挙げられる。
ＰＯＥジアルキルエステルとしては、ＰＯＥジラウレート、ＰＯＥジステアレート等が挙げられる。
ＰＯＥアルケニルエステルとしては、ＰＯＥモノオレエート等が挙げられる。
ＰＯＥアルケニルエステルとしては、ＰＯＥジオレエート等が挙げられる。
【００１８】
ＰＯＥ・ＰＯＰブロックポリマーとしては、分子量が５００〜２００００であるＰＯＥ・ＰＯＰブロックポリマーが挙げられる。これらの中でも、１０００〜１００００であることがより好ましい。また当該ブロックポリマー中のポリオキシエチレンの比率は、好ましくは５〜７０モル％、より好ましくは１０〜４０モル％である。
【００１９】
シリコン系界面活性剤は、分子内にケイ素原子を含有する界面活性剤である。シリコン系界面活性剤としては、メチル又はジメチルポリシロキサンの末端又は側鎖のメチル基の一部に、ポリエチレンオキサイド、ポリプロピレンオキサイド又はその両者を導入し、場合によっては、末端の水酸基をアルキル基でエーテル又はエステル化した、ポリエーテル変性シリコンオイルを主成分とするノニオン系界面活性剤が挙げられる。
ポリエーテル変性シリコンオイルとしては、例えば、商品名：シルガードシリーズ（ダウコーニングシリコーン株式会社製）、シルウェットシリーズ（日本ユニカー株式会社製）、シリコーンオイルＫＦシリーズ（信越化学株式会社製）、カイネチック（ヘレナケミカル株式会社製）等の市販されているものを用いることができる。
【００２０】
これらは一種単独で、あるいは二種以上を組み合わせて用いることができる。
これらの中でも、成分（Ａ）としては、乳化性により優れる組成物が得られることから、炭素数６〜２０のアルカノール、ＰＯＥアルキルエステル、ＰＯＥジアルキルエステル、又はシリコン系界面活性剤であるのが好ましく、ラウリルアルコール、ＰＯＥモノラウレート、ＰＯＥジラウレート、又はポリエーテル変性シリコンオイルであるのがより好ましい。
【００２１】
成分（Ｂ）：
本発明の乳剤組成物は、成分（Ｂ）として、ノニオン系界面活性剤であるポリオキシアルキレンアリールフェニルエーテルの少なくとも一種を含有する。成分（Ｂ）として、ノニオン系界面活性剤であるポリオキシアルキレンアリールフェニルエーテルの少なくとも一種を用いることにより、混用する農薬活性成分等のイオン性に影響されない、良好な乳化性を示す農薬乳剤組成物等を調製することができる。
【００２２】
ポリオキシアルキレンアリールフェニルエーテルのポリオキシアルキレン基部分としては、ポリオキシエチレン基、ポリオキシプロピレン基、及びポリオキシブチレン基等が挙げられる。ポリオキシアルキレン部分の重合度は、通常２〜５０、好ましくは３〜２０、より好ましくは４〜１５、特に好ましくは５〜１０である。
【００２３】
アリール基部分としては、フェニル基、ナフチル基、スチリル基等の炭素数６〜４０のアリール基が挙げられ、フェニルエーテル部分としては、モノ−、ジ−またはトリ置換されたフェニルエーテル等が挙げられる。
【００２４】
ポリオキシアルキレンアリールフェニルエーテルの具体例としては、ＰＯＥモノスチリルフェニルエーテル、ＰＯＥジスチリルフェニルエーテル、ＰＯＥトリスチリルフェニルエーテル、ポリオキシプロピレントリスチリルフェニルエーテル、及びＰＯＥポリオキシプロピレントリスチリルフェニルエーテル等が挙げられる。
これらは一種単独で、あるいは二種以上を組み合わせて用いることができる。
これらの中でも、乳化性により優れる組成物が得られることから、ＰＯＥトリスチリルフェニルエーテルが好ましい。
【００２５】
成分（Ｃ）：
本発明の乳剤組成物は、成分（Ｃ）として、芳香族炭化水素系非極性溶媒を含有する。芳香族炭化水素系非極性溶媒としては、アルキルベンゼン類及びナフタレン類からなる群より選択される少なくとも一種であるのが好ましい。
【００２６】
アルキルベンゼン類としては、トルエン、キシレン、トリメチルベンゼン、クメン等が挙げられ、ナフタレン類としては、ナフタレン、メチルナフタレン等が挙げられる。
これらの溶媒は一種単独で、あるいは二種以上を混合して用いることができる。
【００２７】
成分（Ｃ）としては、市販品をそのまま利用することもできる。市販品としては、ソルベッソ１００、ソルベッソ１５０又はソルベッソ２００（ソルベッソはエクソン化学株式会社の登録商標）等が挙げられる。
【００２８】
成分（Ｄ）：
本発明の乳剤組成物においては、前記成分（Ｃ）の芳香族炭化水素系非極性溶剤への溶解性が低い農薬活性成分を含む農薬乳剤組成物を調製する場合等に、さらに成分（Ｄ）として極性溶媒を含有させるのが好ましい。
【００２９】
用いる極性溶媒としては、ケトン類、ラクトン類、Ｎ−メチル−２−ピロリドン、ｎ−アミルアセテート、プロピレングリコールモノメチルエーテル、プロピレンカーボネート、乳酸ブチルエステル、乳酸エチルエステル、イソボルニルアセテート、テトラハイドロフルフリルアルコール、３−メトキシ−３−メチル−１−ブタノール、スルホラン、及びＤ−リモネン等が挙げられる。
【００３０】
これらの中でも、乳化性により優れる組成物が得られることから、ケトン類及びラクトン類が好ましく、γ−ブチロラクトンが特に好ましい。
【００３１】
ケトン類としては、アセトン、メチルエチルケトン、ジエチルケトン、メチルイソブチルケトン、メチル−ｎ−アミルケトン（２−ヘプタノン）、メシチルオキサイド、シクロペンタノン、シクロヘキサノン等が挙げられる。
ラクトン類としては、γ−ブチロラクトン、δ−ラクトン等が挙げられる。
これらの極性溶媒は一種単独で、あるいは二種以上を混合して用いることができる。
【００３２】
本発明の乳剤組成物における各成分の割合は、特に制限されないが、成分（Ａ）の含有量は、通常１〜２０重量％、好ましくは２〜１５重量％、成分（Ｂ）の含有量は、通常５〜２５重量％、好ましくは１０〜１８重量％、成分（Ｃ）の含有量は、通常１０〜４５重量％、好ましくは１５〜３５重量％、成分（Ｄ）の含有量は、通常０〜７５重量％、好ましくは、３０〜７０重量％である。
【００３３】
本発明の乳剤組成物は、乳化剤である成分（Ｂ）のポリオキシアルキレンアリールフェニルエーテルを多量に用いる必要がないため、環境にやさしいものである。
【００３４】
本発明の乳剤組成物には、本発明の効果を損なわない範囲内で、前記成分（Ａ）〜（Ｄ）に加えて、その他の有機溶媒を含有させてもよい。
その他の有機溶媒としては、フタル酸エステル類、植物油等が挙げられる。
【００３５】
また、本発明の乳剤組成物には、本発明の効果を損なわない範囲内において、紫外線吸収剤、酸化防止剤、防腐剤、効力増強剤、着色剤、香料等の補助剤を含有させてもよい。
【００３６】
本発明の乳剤組成物の調製は、公知の組成物調製方法により行うことができる。例えば、所定量の成分（Ａ）〜（Ｃ）、並びに、所望により成分（Ｄ）及び／又はその他の成分を混合攪拌して調製することができる。その際、添加・混合する順序は任意である。
【００３７】
２）農薬乳剤組成物
本発明の農薬乳剤組成物は、上述の本発明の乳剤組成物、及び農薬活性成分の少なくとも一種を含有することを特徴とする。
【００３８】
用いる農薬活性成分は、液状か固体か、あるいは有機化合物か無機化合物か、または単一化合物か混合物か等によって限定されない。
【００３９】
農薬活性成分としては、下記に示す殺菌剤、殺虫剤、殺ダニ剤、除草剤、防菌剤、防かび剤、防藻、植物生長調調節剤、殺そ剤等が挙げられる。これらの農薬活性成分は、１種または２種以上を混合して用いることができる。
【００４０】
殺菌剤としては、ＣＮＡ、ＤＰＣ、ＥＤＤＰ、ＩＢＰ、ＰＣＮＢ、ＴＰＮ、アグロバクテリウム、イソプロチオラン、イプコナゾール、イプロジオン、イミベンコナゾール、エクロメゾール、オキサジキシル、オキシカルボキシン、オキシテトラサイクリン、オキソリニック酸、カスガマイシン、カルベンダゾール、キノキサリン、キャプタン、クロロネブ、ジエトフェンカルブ、ジクロメジン、ジチアノン、ジネブ、ジフェノコナゾール、シプロコナゾール、ジメチリモール、ジラム、スルフェン酸系(ジクロフルアニド) 、ダゾメット、チアジアジン、チアベンダゾール、チオファネートメチル、チリアジン、テクロフタラム、テブコナゾール、トリアジメホン、トリアジン、トリクラミド、トリシクラゾール、トリフルミゾール、トリホリン、トルクロホスメチル、バリダマイシン、ビテルタノール、ヒドロキシイソキサゾール、ピラゾホス、ピリフェノックス、ピロキロン、ビンクロゾリン、フェナリモル、フェリムゾン、フサライド、ブラストサイジン、フルアジナム、フルオルイミド、フルスルファミド、フルトラニル、プロクロラズ、プロシミドン、プロピコナゾール、プロピネブ、プロベナゾール、ヘキサコナゾール、ペフラゾエート、ペンシクロン、ベンチアゾール、ホセチル、ポリオキシン、ポリカーバメート、ミクロブタニル、ミルディオマイシン、メタスルホカルブ、メタラキシル、メパニピリム、メプロニル等が挙げられる。
【００４１】
殺虫剤としては、ＢＰＭＣ、ＢＰＰＳ、ＢＲＰ、ＣＰＣＢＳ、ＣＶＭＰ、ＣＶＰ、ＣＹＡＰ、ＤＣＩＰ、ＤＥＰ、ＥＣＰ、ＥＰＮ、ＥＳＰ、ＭＩＰＣ、ＭＰＭＣ、ＭＰＰ、ＭＴＭＣ、ＰＡＰ、ＰＨＣ，ＰＭＰ、ＸＭＣ、アクリナトリン、アセタミプリド、アセフェート、アミトラズ、アラニカルブ、アレスリン、イソキサチオン、イソフェンホス、イミダクロプリド、エチオフェンカルブ、エチオン、エチルチオメトン、エトフェンプロックス、エトプロホス、エトリムホス、オキサミル、オレイン酸ナトリウム、カルボスルファン、キナルホス、クロチアニジン、クロフェンテジン、クロルピリホス、クロルピリホスメチル、クロルフルアズロン、クロルベンジレート、ケルセン、サリチオン、ジエノクロル、シクロプロトリン、ジノテフラン、シハロトリン、シフルトリン、ジフルベンズロン、シペルメトリン、ジメチルビンホス、ジメトエート、シロマジン、スルプロホス、ダイアジノン、チアクロプリト、チアメトキサム、チオジカルブ、チオメトン、テトラジホン、テブフェンピラド、テフルトリン、テフルベンズロン、トラロメトリン、ニテンピラム、バミドチオン、ハルフェンプロックス、ビフェントリン、ピラクロホス、ピリダフェンチオン、ピリダベン、ピリミカーブ、ピリミジフェン、ピリミホスメチル、フィプロニル、フェニソブロモレート、フェノキシカルブ、フェノチオカルブ、フェンバレレート、フェンピロキシメート、フェンプロパトリン、ブプロフェジン、フラチオカルブ、フルシトリネート、プロチオホス、プロパホス、プロフェノホス、ヘキシチアゾクス、ペルメトリン、ベンスルタップ、ベンゾエピン、ベンゾメート、ベンダイオカルブ、ベンフラカルブ、ホサロン、ホスチアゼート、ポリブテン、ホルモチオン、マラソン、メスルフェンホス、メソミル、メタアルデヒド、モノクロトホス、レスメトリン等が挙げられる。
【００４２】
除草剤としては、２，４−ＰＡ、ＡＣＮ、ＣＮＰ、ＤＡＰ、ＤＢＮ、ＤＣＢＮ、ＤＣＭＵ、ＤＣＰＡ、ＤＰＡ、ＤＳＭＡ、ＩＰＣ、ＭＢＰＭＣ、ＭＣＣ、ＭＣＰ、ＭＣＰＢ、ＭＣＰＰ、ＭＤＢＡ、ＰＡＣ、ＳＡＰ、ＴＣＡ、ＴＣＴＰ、アイオキシニル、アシュラム、アトラジン、アミプロホスメチル、アメトリン、アラクロール、アロキシジム、イソウロン、イソキサベン、イマザピル、イマゾスルフロン、エスプロカルブ、エチジムロン、オキサジアゾン、オルソベンカーブ、カルブチレート、キザロホップエチル、キンクロラック、グリホサート、クロメトキシニル、クロメプロップ、クロルフタリム、シアナジン、ジチオピル、シデュロン、シノスルフロン、ジフェナミド、シマジン、ジメタメトリン、シメトリン、ジメピペレート、ターバシル、ダイムロン、チアザフルロン、チフェンスルフロンメチル、テトラピオン、テニルクロール、テブチウロン、トリクロピル、トリフルラリン、ナプロアニリド、ナプロパミド、ビアラホス、ピクロラム、ビフェノックス、ピペロホス、ピラゾキシフェン、ピラゾスルフロンエチル、ピラゾレート、ピリブチカルブ、フェノキサプロップエチル、フェノチオール、フェンメディファム、ブタクロール、ブタミホス、フラザスルフロン、フルアジホップ、プレチラクロール、プロジアミン、プロピザミド、ブロマシル、プロメトリン、ブロモブチド、ヘキサジノン、ベスロジン、ベンスルフロンメチル、ベンゾフェナップ、ベンタゾン、ベンチオカーブ、ペンディメタリン、ホサミンアンモニウム、メチルダイムロン、メトスルフロンメチル、メトラクロール、メトリブジン、メフェナセット、モリネート、リニュロン、レナシル等が挙げられる。
【００４３】
防菌・防かび・防藻剤としては、トリアルキルトリアミン、エタノール、イソプロピルアルコール、プロピルアルコール、トリスニトロ、クロロブタノール、プロノポール、グルタルアルデヒド、ホルムアルデヒド、α−ブロムシンアムアルデヒド、スケーンＭ−８、ケーソンＣＧ、ＮＳ−５００W、ＢＩＴ、ｎ−ブチルＢＩＴ、アソチオシアン酸アリル、チアベンダゾール、２−ベンツイミダゾリルカルバミン酸メチル、ラウリシジン、バイオバン、トリクロカルバン、ハロカルバン、グラシイシカル、安息香酸、ソルビン酸、カプリル酸、プロピオン酸、１０−ウンデシレン酸、ソルビン酸カリウム、安息香酸カリウム、フタル酸モノマグネシウム、８−ヒドロキシキノリン、ＴＭＴＤ、トリクロサン、ジクロヘルアニリド、トリフルアニド、しらこタンバク、卵白リゾチーム、ベンチアゾール、カーバムナトリウム、トリアジン、テビコナゾール、ヒノキチオール、テトラクロロイソフタロニトリル、テクタマール３８、グルコン酸クロルヘキシジン、ポリヘキサメチレンビグアナイド、ダントプロム、クライダント、ピリチオンナトリウム、ジンクピリチオン、デンシル、チモール、イソプロピルメチルフェノール、ＯＰＰ、フェノール、ブチルバラペン、エチルパラベン、メチルパラペン、プロピルパラペン、メタクレゾール、オルトクレゾール、パラクレゾール、オルトフェニルフェノールナトリウム、クロロフェン、パラクロルフェノール、パラクロロメタキシレート、パラクロロクレゾール、フルオロフォルペット、ポリリジン、バイオパンＰ−１４８７、ジョートメチルパラトリルスルフォン、ポリビニルピロリドンパラクロロイソシアネル、ノパロンＡＧ３００、ホロンキラー、ダイマー１３６、ペンザルコニウムクロライド、ジデシルジメチルアンモニウムクロライド、バーダック２２５０／８０、塩化ベンゾトニウム、ハイアミｎ３５００Ｊ、臭化セチルアンモニウム、セトリミド、ＣＴＡＢ、セタブロン、ダイマー３８、塩化ペンザルコニウム、ハイアミン３５００Ｊバーダック１７０Ｐ、ＤＣ−５７００、セチルピリジニウムクロライド、デュウロン、ＤＣＭＵ、プリペントールＡ６、ＣＭＩ、２Ｃｌ−ＯＩＴ、ＢＣＭ、ＺＰＴ、ＢＮＰ、ＯＩＴ、ＩＰＢＣ、ＴＣＭＳＰ等が挙げられる。
【００４４】
植物成長調節剤としては、アブシジン酸、イナベエンフィド、インドール酪酸、ウニコナゾール、エチクロゼート、エテホン、オキシエチレンドコサノール、キノキサリン、ＤＥＰ、クロキシホナック、クロルメート、クロレラ抽出液、シアナミド、ジクロルプロップ、ジベレリンダミノジット、デシルアルコール、トリネキサパックエチル、パクロブトラゾール、パラフィン、ピペロニルブトキシド、ピフルフェンエチル、フルルプリミドール、プロヒドロジャスモン、プロヘキサジオンカルシウム塩、ベンジルアミノプリン、ペンディメタリン、ベンフラカルブ、イナベンフェイドホルクロルフェニュロン、マレイン酸ヒドラジドカリウム、１−ナフチルアセトアミド、4-ＣＰＡ、ＭＣＰＡチオエチル、ＭＣＰＢ等が挙げられる。
殺鼠剤としては、クマリン系殺鼠剤、クロロファシノン等が挙げられる。
【００４５】
さらに、本発明に用いる農薬活性成分としては、ＷＯ２００５／０９５３８０号公報、ＷＯ２００７／０４０２８０号公報、およびＷＯ２００７／０４０２８２号公報等に記載の殺ダニ活性成分が挙げられる。具体例としては、下記式（ｉ）に示す化合物が挙げられる。
【００４６】
【化１】
0005628979.tif 000002
【００４７】
本発明の農薬乳剤組成物における各成分の割合は、特に制限されないが、成分（Ａ）の含有量は、通常０．５〜１５重量％、好ましくは１〜１０重量％、成分（Ｂ）の含有量は、通常０．５〜１５重量％、好ましくは１〜１５重量％、成分（Ｃ）の含有量は、通常５〜８０重量％、好ましくは１０〜３０重量％、成分（Ｄ）の含有量は、通常０〜６０重量％、好ましくは５〜５５重量％、農薬活性成分の含有量は、通常１〜８０重量％、好ましくは５〜２０重量％である。
【００４８】
本発明の農薬乳剤組成物の調製は、公知の組成物調製方法により行うことができる。例えば、（ｉ）本発明の乳剤組成物と農薬活性成分の所定量を混合撹拌して調製する方法、（ｉｉ）前記成分（Ａ）〜（Ｃ）、所望により成分（Ｄ）等、及び農薬活性成分を混合攪拌して調製する方法、等が挙げられる。いずれの方法においても、添加・混合する順序は任意である。
【００４９】
本発明の農薬乳剤組成物は、本発明の乳剤組成物を含有するものであるため、長期に亘り良好な乳化性を示す。
【００５０】
本発明の農薬乳剤組成物は、用いる乳剤組成物がアニオン系界面活性剤を含有しないため、イオン性（カチオン性）の農薬活性成分と混用する場合においても、塩を形成して凝集を生じる等の問題が生じることがなく、良好な乳化性を示す。
【００５１】
本発明で用いることが可能なカチオン性の農薬活性成分としては、特に制約はないが、例えば、イミノクタジンアルベシル酸塩、イミノクタジン酢酸塩、エマメクチン安息香酸塩、オキシン硫酸塩、オキスポコナゾールフマル酸塩、カルタップ、クロルメコート、コリン、ジクワット、ストレプトマイシン、プロパモカルブ塩酸塩、メピコートクロリド、モノフルオロ酢酸塩、塩酸レバミゾール、パラコート、酒石酸モランテル；塩化カルシウム、硫酸カルシウム、過酸化カルシウム等の無機塩（植物成長調節剤）；等が挙げられる。
【００５２】
また、本発明の農薬乳剤組成物は、無機銅剤を混用する場合においても、良好な乳化性を示す。無機銅剤としては、例えば、銅イオンを含有する抗菌性化合物が挙げられる。
【００５３】
具体的には、塩基性塩化銅、塩基性硫酸銅、塩基性炭酸銅、亜酸化銅、塩基性燐酸銅、塩基性硫酸銅カルシウム及び銅アンモニウム錯塩等が挙げられる。なかでも、塩基性塩化銅及び／又は塩基性硫酸銅が好ましい。塩基性硫酸銅の態様は、特に限定されないが、ボルドー液の状態が挙げられる。
【実施例】
【００５４】
以下、実施例を挙げて本発明をさらに詳細に説明する。但し、本発明はこれらに限定されるものではない。なお、「部」は重量部を意味する。
【００５５】
（実施例１）
農薬活性成分である前記式（ｉ）で表される化合物（以下、「化合物（ｉ）」という。）１２．３部を、成分（Ｃ）：ソルベッソ−２００ＮＤ（エクソンモービル社商標）２３部と、成分（Ｄ）：シクロヘキサノン４５．９部の混合液に溶解し、これに成分（Ｂ）：ＰＯＥトリスチリルフェニルエーテル（ＨＬＢ＝１１．８）１５部、及び成分（Ａ）：ラウリルアルコール３．８部を混合溶解して農薬乳剤組成物１を得た。
【００５６】
（実施例２）
実施例１において、成分（Ｄ）：シクロヘキサノンの使用量を４５．９部から３９．７部とし、成分（Ａ）：ラウリルアルコール３．８部の代わりにＰＯＥオレイン酸エステル（ＨＬＢ＝７．７）１０部を用いる以外は、実施例１と同様にして、農薬乳剤組成物２を得た。
【００５７】
（実施例３）
実施例１において、成分（Ｄ）：シクロヘキサノンの使用量を４５．９部から３９．７部とし、成分（Ａ）：ラウリルアルコール３．８部の代わりに変性シリコン活性剤１０部を用いる以外は、実施例１と同様にして、農薬乳剤組成物３を得た。
【００５８】
（実施例４）
実施例１において、成分（Ｄ）：シクロヘキサノンの使用量を４５．９部から４４．７部とし、成分（Ａ）：ラウリルアルコール３．８部を５部とする以外は、実施例１と同様にして、農薬乳剤組成物４を得た。
【００５９】
（実施例５）
農薬活性成分として、化合物（ｉ）１２．３部に代えてトリフルミゾール（日本曹達社製）１２．３部を用いる以外は、実施例１と同様にして、農薬乳剤組成物５を得た。
【００６０】
（実施例６）
農薬活性成分として、化合物（ｉ）１２．３部に代えてヘキシチアゾクス（日本曹達社製）１２．３部を用いる以外は、実施例１と同様にして、農薬乳剤組成物６を得た。
【００６１】
（実施例７）
農薬活性成分として、化合物（ｉ）１２．３部に代えてテプラロキシジム（日本曹達社製）１２．３部を用いる以外は、実施例１と同様にして、農薬乳剤組成物７を得た。
（実施例８）
実施例１において、成分（Ｄ）：シクロヘキサノンの使用量を４５．９部から３９．７部とし、成分（Ａ）：ラウリルアルコール３．８部の変わりにＰＯＥ・ＰＯＰブロックポリマー（ＰｌｕｒｏｎｉｃＰＥ６１００（ＢＡＳＦジャパン（株）商標））１０部を用いる以外は、実施例１と同様にして、農薬乳剤組成物８を得た。
【００６２】
（比較例１）
実施例１において、成分（Ａ）：ラウリルアルコール３．８部に代えてドデシルベンゼンスルホン酸カルシウム塩３．８部を用いる以外は、実施例１と同様にして、農薬乳剤組成物９を得た。
【００６３】
（比較例２）
実施例４において、成分（Ｂ）：ＰＯＥトリスチリルフェニルエーテル（ＨＬＢ＝１１．８）１５部に代えて、ＰＯＥオレイン酸エステル（ＨＬＢ＝７．７）１５部を用いる以外は、実施例４と同様にして、農薬乳剤組成物１０を得た。
【００６４】
（比較例３）
実施例４において、成分（Ｂ）：ＰＯＥトリスチリルフェニルエーテル（ＨＬＢ＝１１．８）１５部に代えて、ＰＯＥソルビタントリオレエート（ＨＬＢ＝１１．４）１５部を用いる以外は、実施例４と同様にして、農薬乳剤組成物１１を得た。
【００６５】
（比較例４）
実施例４において、成分（Ｂ）：ＰＯＥトリスチリルフェニルエーテル（ＨＬＢ＝１１．８）１５部に代えて、ＰＯＥひまし油エーテル（ＨＬＢ＝１１．２）１５部を用いる以外は、実施例４と同様にして、農薬乳剤組成物１２を得た。
実施例１〜８及び比較例１〜４の農薬乳剤組成物の組成を、第１表にまとめて示す。なお、表中の数値の単位は重量部である。
【００６６】
【表１】
0005628979.tif 000003
【００６７】
（試験例１）
実施例１〜８および比較例２〜４で得られた農薬乳剤組成物１〜８および１０〜１２につき、水道水で１，０００倍に希釈した場合の乳化性を調べた。また、この希釈液を５℃の恒温槽で１日静置した後の乳化安定性を調べた。この試験において、目視で、希釈液中の結晶物の有無、沈降物の有無から乳化性及び乳化安定性を総合的に判断した。結果を第２表に示す。
【００６８】
【表２】
0005628979.tif 000004
【００６９】
第２表に示すとおり、農薬活性成分として化合物（ｉ）を用いた実施例１〜４及び８では、希釈直後、および５℃で１日経過後において良好な乳化性を示した。また、化合物（ｉ）に代えて、トリフルミゾール、ヘキシチアゾックスおよびテプラロキシジムを用いた実施例５〜７においても同様の結果となった。
一方、成分（Ｂ）を用いなかった比較例２〜４においては、比較例３の希釈直後以外では、良好な乳化性を示さなかった。
【００７０】
（試験例２）
実施例１、比較例１で得られた農薬乳剤組成物１及び９を、３度硬水で、希釈倍数：５００倍及び１，０００倍にそれぞれ希釈して、希釈液（ａ）、（ｂ）、（ｅ）及び（ｆ）をそれぞれ得た。
これらの希釈液に、ベフラン液剤２５（有効成分：イミノクタジン酢酸塩、日本曹達社商標）を、２，０００倍希釈となるように添加して、希釈液（ｃ）、（ｄ）、（ｇ）及び（ｈ）をそれぞれ得た。得られた希釈液（ｃ）、（ｄ）、（ｇ）及び（ｈ）を２０℃の恒温水槽に１日静置し、乳化性を調べた。
【００７１】
また、ベフラン液剤２５を３度硬水で２，０００倍に希釈して希釈液（ｉ）を得た。この希釈液に、農薬乳剤組成物１又は９を、それぞれ、希釈倍数：５００倍及び１，０００倍となるように添加して、希釈液（ｊ）〜（ｍ）をそれぞれ得た。得られた希釈液（ｊ）〜（ｍ）を２０℃の恒温水槽に１日静置し、乳化性を調べた。
【００７２】
この試験において、目視で、希釈液中の結晶物の有無、沈降物の有無から乳化性を総合的に判断した。結果を第３、４表に示す。
なお、表中、○は乳化性が良好である場合、×は凝集が生じた場合をそれぞれ表す。
【００７３】
【表３】
0005628979.tif 000005
【００７４】
【表４】
0005628979.tif 000006
【００７５】
第３、４表より、実施例１では、ベフラン液剤２５を混用した場合であっても、希釈する順序に関わらず良好な乳化性を示した。一方、比較例１では、１日以内に凝集を生じた。
【００７６】
（試験例３）
実施例１、実施例２及び比較例１の農薬乳剤組成物１、２、９を、それぞれ、３度硬水で、希釈倍数：５００倍及び１，０００倍に希釈して、希釈液（１）、（２）、（５）、（６）、（９）及び（１０）をそれぞれ得た。
【００７７】
これらの希釈液に、カルクロン（有効成分：塩化カルシウム、日本曹達社商標）を、５００倍希釈となるように添加して、希釈液（３）、（４）、（７）、（８）、（１１）及び（１２）をそれぞれ得た。得られた希釈液（３）、（４）、（７）、（８）、（１１）及び（１２）を２０℃の恒温水槽に１日静置し、乳化性を調べた。結果を第５表に示す。第５表中、○は乳化性が良好である場合、×はオイル状の沈降物が堆積すると共に、１日以内に凝集が生じた場合をそれぞれ表す。
【００７８】
また、カルクロンを３度硬水で５００倍に希釈した希釈液を調製した。この希釈液に、農薬乳剤組成物１、２、９を、希釈倍数：５００倍及び１，０００倍となるようにそれぞれ添加して、希釈液（１３）〜（１８）をそれぞれ得た。得られた希釈液（１３）〜（１８）を２０℃の恒温水槽に１日静置し、乳化性を調べた。結果を第６表に示す。
第６表中、○は乳化性が良好である場合、×はオイル状の沈降物が堆積すると共に、１日以内に凝集が生じた場合をそれぞれ表す。
【００７９】
【表５】
0005628979.tif 000007
【００８０】
【表６】
0005628979.tif 000008
【００８１】
第５、６表より、実施例１、２の農薬乳剤組成物１、２では、カルクロンを混用した場合であっても、希釈する順序に関わらず良好な乳化性を示した。
一方、比較例１の農薬乳剤組成物９では、オイル状の沈降物が堆積すると共に、１日以内に凝集が生じた。
【産業上の利用可能性】
【００８２】
本発明の乳剤組成物は、アニオン系界面活性剤、カチオン系界面活性剤のいずれをも含有しないため、混用する農薬活性成分等のイオン性に影響されない、良好な乳化性を示す農薬乳剤組成物を調製することができ、ポリオキシアルキレンアリールフェニルエーテルを多量に用いる必要がないため、環境にやさしいものである。
また、本発明の農薬乳剤組成物は、本発明の乳剤組成物を用いているため、長期に亘り良好な乳化性を示し、イオン性（カチオン性）を有する農薬活性成分と混用する場合であっても、凝集が生じることなく良好な乳化性を示し、産業上有用である。